(57)【要約】【課題】小型化を図ることができる電気掃除機を提供する。【解決手段】掃除機本体１と、掃除機本体１に収納され吸引力を発生させる電動送風機４０と、掃除機本体１に収納され電動送風機４０を駆動するモータ４０ａと、掃除機本体１に取り付けられモータ４０ａに電力を供給する蓄電池３と、掃除機本体１に取り付けられ前記吸引力で吸引された塵埃を収容するダストケース２とを備え、ダストケース２、モータ４０ａ及び蓄電池３は掃除機本体１の長手方向の一直線上に配置されている。【選択図】図６
2020110472.tif 000002
【特許請求の範囲】
【請求項１】
掃除機本体と、
前記掃除機本体に収納され吸引力を発生させる電動送風機と、
前記掃除機本体に収納され前記電動送風機を駆動するモータと、
前記掃除機本体に取り付けられ前記モータに電力を供給する蓄電池と、
前記掃除機本体に取り付けられ前記吸引力で吸引された塵埃を収容する集塵装置とを備え、
前記集塵装置、前記モータ及び前記蓄電池は前記掃除機本体の長手方向の一直線上に配置されていることを特徴とする電気掃除機。
【請求項２】
前記集塵装置と前記モータとは前記掃除機本体の長手方向に同軸に配置されていることを特徴とする請求項１に記載の電気掃除機。
【請求項３】
前記掃除機本体の前記集塵装置よりも上部に設けられ前記吸引力で吸引された塵埃を含む空気を前記集塵装置に送り込む導入管を備え、
前記導入管の後方で前記モータの上部における前記電気掃除機本体の筐体内には前記掃除機本体を駆動する回路基板が収容された回路基板収容空間が設けられていることを特徴とする請求項１又は請求項２に記載の電気掃除機。
【請求項４】
前記掃除機本体は、その長手方向前部に塵埃を空気とともに吸い込む吸引口を備え、
前記掃除機本体は、その下側を下にして水平な平面に載置したときに前記吸引口の先端部が斜め上方側を向くことを特徴とする請求項１乃至請求項３の何れかの一項に記載の電気掃除機。
【発明の詳細な説明】
【技術分野】
【０００１】
本発明は、電気掃除機に関する。
【背景技術】
【０００２】
本技術分野の背景技術として、特開平２０１６−１３１７９５号公報（特許文献１）がある。この公報には、「電気掃除機は、本体接続口を有する掃除機本体と、掃除機本体を支えて収納する収納台と、収納台に設けられて掃除機本体が収納台に収納された状態で掃除機本体の二次電池を充電する充電路と、を備えている。収納台は、本体接続口を下方へ向けた姿勢で掃除機本体を支える支持部と、掃除機本体が支持部に支持される状態において本体接続口に対面する底板を有する凹部と、凹部を収納台の側方へ開放して見通しを確保する切り欠きを有する側壁部と、を備えている。」と記載されている（要約参照）。
【先行技術文献】
【特許文献】
【０００３】
【特許文献１】特開２０１６−１３１７９５号公報
【発明の概要】
【発明が解決しようとする課題】
【０００４】
前記特許文献１に開示の電気掃除機では、電動送風機と塵埃分離集塵部と二次電池とが長手方向に一直線に配置されるような構成ではない。そのため、電気掃除機の短手方向のサイズが大きくなり、電気掃除機の小型化を図ることができないという不具合が存在する。
そこで、本発明は、小型化を図ることができる電気掃除機を提供することを課題とする。
【課題を解決するための手段】
【０００５】
上記課題を解決するため、本発明は、掃除機本体と、前記掃除機本体に収納され吸引力を発生させる電動送風機と、前記掃除機本体に収納され前記電動送風機を駆動するモータと、前記掃除機本体に取り付けられ前記モータに電力を供給する蓄電池と、前記掃除機本体に取り付けられ前記吸引力で吸引された塵埃を収容する集塵装置とを備え、前記集塵装置、前記モータ及び前記蓄電池は前記掃除機本体の長手方向の一直線上に配置されていることを特徴とする。
【発明の効果】
【０００６】
本発明によれば、小型化を図ることができる電気掃除機を提供することができる。
上記した以外の課題、構成及び効果は、以下の実施形態の説明により明らかにされる。
【図面の簡単な説明】
【０００７】
【図１】本発明の一実施形態に係る電気掃除機を支持台に収納した状態を示す斜視図である。
【図２】本発明の一実施形態に係る電気掃除機の分解図である。
【図３】図２の状態の電気掃除機を左側から視た側面図である。
【図４】本発明の一実施形態に係る電気掃除機の斜視図である。
【図５】本発明の一実施形態に係る電気掃除機の平面図である。
【図６】図５のＶＩ−ＶＩ線断面図である。
【図７】本発明の一実施形態に係る電気掃除機の解除ボタン周辺の拡大断面図である。
【図８】本発明の一実施形態に係る電気掃除機の解除ボタン周辺の拡大断面図である。
【図９】本発明の一実施形態に係る電気掃除機の右側から視た側面図である。
【図１０】本発明の一実施形態に係る電気掃除機の左側から視た側面図である。
【図１１】図１０のＸＩ−ＸＩ線断面図である。
【図１２】図１０のＸＩＩ−ＸＩＩ線断面図である。
【図１３】本発明の一実施形態に係る電気掃除機に付属品が接続された状態の平面図である。
【図１４】本発明の一実施形態に係る電気掃除機の支持台を示す斜視図である。
【図１５】本発明の一実施形態に係る電気掃除機及び支持台を示す側面図である。である。
【図１６】本発明の一実施形態に係る電気掃除機においてスティック状態の電気掃除機で床面を掃除するときの使用形態図である。
【図１７】本発明の一実施形態に係る電気掃除機においてスティック状態の電気掃除機で高い場所を掃除するときの使用形態図である。
【発明を実施するための形態】
【０００８】
以下、本発明を実施するための形態（以下「実施形態」という）について、適宜図面を参照しながら詳細に説明する。
図１は、本実施形態の電気掃除機を支持台に収納した状態を示す斜視図である。
図１に示すように、電気掃除機１００は、ハンディ状態、スティック状態など各種の使用形態に変更して掃除を行うことができるものである。電気掃除機１００が収納される支持台７０は、電気掃除機１００に延長管３００（付属品）と標準吸口４００（付属品）を接続したスティック状態で収納するものであり、ベース部７１とスタンド部７２とを備えて構成されている。また、電気掃除機１００は、何れも図示しない小型吸口（付属品）、ほうき型吸口（付属品）、延長ホース（付属品）などを接続して用いることができる。なお、標準吸口４００は、モータによってブラシが回転するパワーブラシ式のものである。
【０００９】
図２は、本実施形態の電気掃除機の分解図である。図２以下の図面では、掃除機本体１からみた前後左右上下の方向を適宜示している。
図２に示すように、電気掃除機１００は、掃除機本体１、ダストケース２（集塵装置）、蓄電池３、気密保持部材９０を備えて構成されている。
【００１０】
掃除機本体１は、本体部１０、モータケース部１１、ハンドル部１２を備えて構成されている。
【００１１】
本体部１０は、延長管３００や標準吸口４００（図１参照）などが接続される接続口１０ａ（吸引口）が形成されている。この接続口１０ａは、本体部１０、モータケース部１１、ハンドル部１２などと同様の樹脂で成形されている。また、接続口１０ａは、略円形の開口を有し、前方を向いて形成されている。また、接続口１０ａには、付属品としての、前記した延長管３００、標準吸口４００、小型吸口（図示せず）、ほうき型吸口（図示せず）など（以下、まとめてアタッチメントという場合もある）を接続することができるようになっている。接続口１０ａには、回路基板５０（図６参照）と電気的に接続されている端子（図示せず）が内蔵されており、標準吸口４００などのモータ駆動する付属品が接続された場合は、電気的に接続されたモータによってブラシが回転する。
【００１２】
また、本体部１０には、ダストケース２が着脱自在に取り付けられるとともに、接続口１０ａから吸い込まれた塵挨を含む空気をダストケース２に送り込む導入管１４（図３参照）を備えている。
【００１３】
モータケース部１１には、電動送風機４０（図６参照）と回路基板５０（図６参照）が内包されている。また、モータケース部１１の前面には、ダストケース２で集塵された後の清浄な空気が吸い込まれる円形の吸込口（図示せず）が形成されている。
【００１４】
ハンドル部１２は、本体部１０の後側に設けられ、略Ｌ字状に形成された把持部１２ａを有している。この把持部１２ａは、前後方向に後ろ側ほど漸次高くなるように直線状に延びる第１把持部１２ａ１と、略上下方向に直線状に延びる第２把持部１２ａ２と、を有している。また、把持部１２ａは、第２把持部１２ａ２が第１把持部１２ａ１の後端から略下方に向けて延びている。第１把持部１２ａ１は、第２把持部１２ａ２よりも前側に位置している。第２把持部１２ａ２は、上下方向に対して上部が前方に向くように若干傾斜している。また、第１把持部１２ａ１と第２把持部１２ａ２は略棒状かつ連続して形成されている。このように、第１把持部１２ａ１についても、第２把持部１２ａ２についてもそれぞれ直線状に構成することで、使用者が持ち手の位置を認識し易くなる。また、第１把持部１２ａ１と第２把持部１２ａ２とが直角に近い角度で折れ曲がるように接続されているので、第１把持部１２ａ１を把持しているときに第２把持部１２ａ２の方に手がずれ難く、逆に第２把持部１２ａ２を把持しているときに第１把持部１２ａ１の方に手がずれ難くなる。
第１把持部１２ａ１は、前後方向に後ろ側ほど漸次高くなるように延びている。そのため、隙間１２ｃ（図６参照）に手を入れやすくなっている。
【００１５】
また、ハンドル部１２の第１把持部１２ａ１の上面には、操作ボタン１２ｂが設けられている。操作ボタン１２ｂは、例えば、「強」、「標準」、「切」の３つのボタンで構成されている。
【００１６】
本体部１０の前端上部と後方上部には、延長管３００などの付属品を取り外す際に操作される解除ボタン１８ａ，１８ｂが設けられている。この解除ボタン１８ａ，１８ｂを押下操作することで、本体部１０と付属品とのロックが解除されて、本体部１０から付属品の取り外しが可能となる。解除ボタン１８ａ，１８ｂの機構については後記する。
【００１７】
また、本体部１０の前端には、気密保持部材９０を取り付けることができる。この気密保持部材９０は、略円形の筒体９１を有している。この筒体９１は、先端側に軟質樹脂で環状に形成された弾性部９１ａを有している。筒体９１は、基端側に前記弾性部９１ａより硬質な材料で形成され、本体部１０に接続可能な接続部９１ｂを有している。筒体９１は、弾性部９１ａと接続部９１ｂの異種の２部材が一体に成形されることで構成されている。なお、弾性部９１ａは、エラストマなど弾性変形可能（撓み変形可能）な材料で構成されている。このような気密保持部材９０を掃除機本体１の接続口１０ａに取り付けることで、床面に気密保持部材９０の先端９０ｓの全体を密着させることができ、密着しない場合に比べて吸引力を向上させることができる。また、接続部９１ｂを硬質のもので形成することで、気密保持部材９０を本体部１０に脱落することなく安定した状態で取り付けることができる。
【００１８】
なお、本実施形態では、弾性部９１ａがエラストマなどの弾性材料で形成されている場合を例に挙げて説明したが、これに限定されるものではない。例えば、筒体９１の略全体を接続部９１ｂと同様の材料で形成し、筒体９１の先端に静電植毛された短毛を環状に備えたものであってもよい。このような静電植毛を備えたものであっても、エラストマと同様に、気密保持部材９０の先端を床面に密着させることが可能になり、吸引力を向上できる。
【００１９】
本体部１０の接続口１０ａの外側面には、縦方向に細長い嵌合溝１０ｂが形成されている。この嵌合溝１０ｂは、左右両側に１条ずつ形成されている。接続部９１ｂの基端には、前記嵌合溝１０ｂと凹凸嵌合して係止される突起部（図示せず）が形成されている。
【００２０】
また、本体部１０には、接続口１０ａの上部に、発光素子を設けてもよい。
【００２１】
蓄電池３は、吸引力を発生させる電動送風機４０のモータ４０ａ（図６参照）などに電力を供給するものであり、リチウムイオン、ニッケル水素などの二次電池で構成されている。また、蓄電池３は、合成樹脂製の略半円筒状のケース３ａを有し、ケース３ａを前後方向にスライドさせることで本体部１０に対して着脱できる。
【００２２】
図３は、図２の状態の電気掃除機１００を左側から視た側面図である。
図３に示すように、ダストケース２は、サイクロン方式のものであり、導入管１４から吸込んだ塵埃を含む空気を、塵埃と空気とに分離し、塵埃を集める機能を有する。また、ダストケース２は、モータケース部１１の前方に軸方向を前後方向にして配置され、略円柱形状の収容部２ａを有している。また、ダストケース２の上面（側面）には、導入管１４と繋がる略矩形状の流入口２ｂ（図２参照）が形成されている。この流入口２ｂに流入した塵挨を含む空気は、旋回流となり、塵埃に遠心力が働き、ダストケース２内で塵挨と空気とに分離された後、塵埃が分離された空気がダストケース２の後部（背面）から排出される。
【００２３】
また、ダストケース２の前面には、ダストケース２内に溜まった塵埃を廃棄する際に開閉する蓋２ｃがヒンジ部２ｄを介して回動自在に支持されている。また、蓋２ｃの上部には、蓋２ｃのロックを解除するための蓋ロック機構２ｅが設けられている。なお、ダストケース２の内部の機構については、特開２０１６−１３７１６５号公報に基づいて構成することができる。
【００２４】
図４は、本実施形態の電気掃除機の斜視図である。
図４に示すように、電気掃除機１００は、ダストケース２が本体部１０の下方かつモータケース部１１の前方に取り付けられる。この場合、ダストケース２を掃除機本体１に装着すると、蓋ロック機構２ｅが掃除機本体１側に隠れる。これは、蓋ロック機構２ｅを反対側（外側）に設けた場合、掃除中に蓋ロック機構２ｅが解除される恐れがある。しかし、蓋ロック機構２ｅが掃除機本体１側に隠れるようにすることで、誤動作を防止することができるからである。例えば、スティック状態でソファやベッドの下を掃除するときなど、掃除機本体１を床面に対して水平に近づける場合がある。このとき、蓋ロック機構２ｅを表側に設けた場合、床面と接触して蓋ロック機構２ｅが解除される可能性がある。蓋ロック機構２ｅとヒンジ部２ｄの位置はこの限りでなく、掃除機本体１に対し左右に設けても構わない。
【００２５】
また、ダストケース２には、お手入れブラシ２ｓ（図２、図３参照）が着脱自在に設けられている。このお手入れブラシ２ｓは、ダストケース２が掃除機本体１に装着されたときに外部から見え難い位置に配置されている。このため、運転中に外れ難く、また、お手入れブラシ２ｓを電気掃除機１００とは別の場所に保管しておく必要もない。
【００２６】
図５は、本実施形態の電気掃除機の平面図である。
図５に示すように、気密保持部材９０の接続部９１ｂは、左右両側において、後方に延出する延出部９１ｂ１，９１ｂ１が形成されている。左側の延出部９１ｂ１と右側の延出部９１ｂ１との間は、平面視において凹状部９１ｂ２が形成されている。この凹状部９１ｂ２は、本体部１０の先端上面に形成された突出部１０ｄの前端部１０ｄ１と嵌合する。これにより、接続口１０ａ（図２参照）に対する気密保持部材９０の前後方向及び左右方向の位置決めが行われる。
【００２７】
本体部１０に形成された導入管１４は、一旦右斜め後方に延び、そして下方に延びて形成され、ダストケース２の流入口２ｂ（図２参照）と接続されている。これにより、ダストケース２の収容部２ａ内において旋回流を発生させることができ、遠心力による塵埃の分離を効果的に行うことができる。
【００２８】
図６は、図５のＶＩ−ＶＩ線断面図である。
図６に示すように、本体部１０のモータケース部１１には、電動送風機４０が収容されている。電動送風機４０はモータ４０ａによって駆動される。また、モータケース部１１内には、電動送風機４０の上方に、掃除機本体１を制御する回路基板５０（回路基板）が収容されている。
【００２９】
また、電動送風機４０と回路基板５０は、上下方向に重なるように配置されている。このため、掃除機本体１の前後方向の寸法を短くできる。また、電動送風機４０は、モータケース部１１がハンドル部１２側に膨出して形成されることで、本体部１０の前後方向（全長）の寸法を短くできる。
【００３０】
また、電動送風機４０及び回路基板５０は、ハンドル部１２の第１把持部１２ａ１の下方に位置している。これにより、使用者が第１把持部１２ａ１を握って操作する場合、電気掃除機１００の重心が第１把持部１２ａ１の下方近傍になる。このため、電気掃除機１００の先を上向きで使用する場合、電気掃除機１００を安定して保持できる。
【００３１】
また、第１把持部１２ａ１とモータケース部１１の上面１１ｃとの間には、手を挿入するための隙間１２ｃが形成されている。また、第２把持部１２ａ２とモータケース部１１の背面１１ｄとの間には、隙間１２ｄが形成されている。
【００３２】
また、第１把持部１２ａ１の厚みＴ１は薄く形成され、第２把持部１２ａ２の厚みＴ２は厚みＴ１よりも厚く形成されている。つまり、第１把持部１２ａ１は細く、第２把持部１２ａ２は太く形成されている。このように、第２把持部１２ａ２を握って掃除する場合には、第２把持部１２ａ２の厚みＴ２を厚くすることで、深く握り易くなるとともに、第２把持部１２ａ２の強度を高くすることができる。
【００３３】
蓄電池３は、例えば、エネルギ効率の高いリチウムイオン電池で構成することができる。また、蓄電池３は、ハンドル部１２の第２把持部１２ａ２の下方に配置されている。このように、蓄電池３を電気掃除機１００の後端に設けることで、ハンドル部１２の重心が第２把持部１２ａ２に近くなるので、電気掃除機１００の先を上向きで使用する場合、操作感を軽くすることができる。
【００３４】
ダストケース２内には、収容部２ａの軸方向の後端にフィルタ５が収容されている。このフィルタ５は、プリーツ状に折って構成されたものであり、フィルタ面積を大きくできるとともに、フィルタ５による圧力損失を低減することができる。
【００３５】
また、フィルタ５は、例えば高密度のＨＥＰＡフィルタ（High Efficiency Particulate Air Filter）で構成されている。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。
【００３６】
図６に示すように、ダストケース２、モータ４０ａ及び蓄電池３は掃除機本体１の長手方向（前後方向）の一直線上に配置されている。特に、ダストケース２とモータ４０ａとは電気掃除機１００の長手方向（前後方向）に同軸に配置されている。モータ４０ａ及び蓄電池３はその設置に広いスペースを要する。しかし、モータ４０ａ及び蓄電池３をダストケース２と一直線上に配置したので、掃除機１００の上下方向の幅を狭くして、掃除機１００をコンパクト化することができる。
【００３７】
図６中には、矢印Ｆで、電気掃除機１００内に吸引された空気の流れを示している。ダストケース２内に吸引された空気は、電動送風機４０に入る。その空気はモータ４０ａの周囲を通過してモータ４０ａを冷却する。また、モータ４０ａを通過した空気の一部は、蓄電池３内を流れて、蓄電池３を冷却する。モータ４０ａの周囲を通過した残りの一部の空気と、蓄電池３内を通過した空気は回路基板５０で合流して、回路基板５０を冷却し、その後、掃除機１００の系外に排出される。
この場合、モータ４０ａの真後ろに蓄電池３を配置しているため、蓄電池３内に冷却風を流しやすい。これによって、蓄電池３を効率よく冷却しやすくすることができる。
【００３８】
導入管１４の後方でモータ４０ａの上部の筐体内には、回路基板５０を収納する回路基板収容空間５０ａが設けられている。掃除機１００の前部にはダストケース２内部で旋回流を発生させるために、導入管１４を形成しなければならないので、ある程度の上下方向の厚みがある。そのため、その後方において、掃除機１００の筐体に幾分上下方向の厚みを持たせて回路基板収容空間５０ａを形成しても、全体として掃除機１００の上下方向の厚みは厚くならない。そこで、回路基板収容空間５０ａに回路基板５０を収納すれば、他に回路基板５０を収納するスペースを別途設ける必要もなくなるので、掃除機１００の上下方向の厚みの増大を抑制することができる。
【００３９】
また、この場合、回路基板５０の配置位置が高くなるので、回路基板５０と、付属品との接続端を備えた接続口１０ａ及び操作ボタン１２ｂとの結線を短くすることができる。そのため、結線の短縮化と、製造時の作業性の向上によって、掃除機１００の製造コストを低減することができる。
【００４０】
図７、図８は、何れも解除ボタン１８ａ，１８ｂ周辺の拡大断面図である。解除ボタン１８ａ，１８ｂの何れを押下しても前記した延長管３００、標準吸口４００などの付属品の掃除機本体１への接続を解除することができる。図７は、解除ボタン１８ａも１８ｂも押下していない状態を示している。この状態で、まず、解除ボタン１８ａを押下したときは、解除ボタン１８ａ及びその基端部１８ａ１が前方下側に傾く。これにより所定のロック機構が解除されて、付属品を掃除機本体１から取り外すことができる。
【００４１】
他方、図８に示すように、解除ボタン１８ｂを押下したときは、解除ボタン１８ｂ及びその基端部１８ｂ１が前方下側に傾く。解除ボタン１８ａの基端部１８ａ１と、解除ボタン１８ｂの基端部１８ｂ１との間には長尺の軸状部材１８ｃが配置されている。解除ボタン１８ｂの基端部１８ｂ１が前方下側に傾くことで、当該基端部１８ｂ１が軸状部材１８ｃの一端を前方方向に押し出す。すると、軸状部材１８ｃが前方方向に移動して、その他端部が解除ボタン１８ａの基端部１８ａ１を押圧し、解除ボタン１８ａ及びその基端部１８ａ１が前方下側に傾く。これによって、図８に示すように、所定のロック機構が解除されて、気密保持部材９０を掃除機本体１から取り外すことができる。
【００４２】
解除ボタン１８ａの他に解除ボタン１８ｂも設けることで、電気掃除機１００の使用者は第１把持部１２ａ１を握ったまま、解除ボタン１８ｂを操作して、付属品を掃除機本体１から取り外すことができる。
【００４３】
図９は、電気掃除機を右側から視た側面図である。
ダストケース２の下部後端と掃除機本体１の下部前端には、ダストケース２を掃除機本体１に着脱するための着脱機構２ｇ，１９が設けられている。すなわち、ダストケース２を掃除機本体１に装着するときは、着脱機構２ｇと着脱機構１９とが所定の機構により連結される。この着脱機構２ｇ，１９は電気掃除機１００の最下方に延出していて、特に、着脱機構１９の下端が電気掃除機１００の最下方となり、この着脱機構１９の下には脚部１９ａが設けられている。また、蓄電池３の最後尾下端にも脚部３ｎが設けられている。
【００４４】
電気掃除機１００の下側を下として、水平な平面Ｆの上に載置したときは、モータ４０ａや蓄電池３のような重い部品が電気掃除機１００の後方下部に存在することもあり、電気掃除機１００は脚部１９ａ，３ｈで水平な平面Ｆ上に支持される。このとき、脚部１９ａが電気掃除機１００の最下端に位置し、また、脚部１９ａは電気掃除機１００の長手方向の中間位置に存在するため、水平な平面Ｆの上に載置した電気掃除機１００は、図９に示されるように前方が斜め上側を向く。よって、吸引口となる接続口１０ａの先端部も斜め上側を向く。よって、気密保持部材９０の先端９０ｓも斜め上側を向く。そのため、電気掃除機１００は水平な平面Ｆ上に支持された状態において、接続口１０ａや気密保持部材９０の内部に残っている塵埃が外部にこぼれ落ちにくい。
【００４５】
図９に示すように蓄電池３への充電は掃除機本体１の右側部に設けられた端子ｔに図示しないＡＣアダプタを接続することによって行うことができる。
【００４６】
図１０は、本実施形態の電気掃除機の左側から視た側面図である。図１１は、図１０のＸＩ−ＸＩ線断面図である。
電気掃除機１００の筐体構造では、モータ４０ａ及び回路基板５０を覆う筐体２０は難燃性の１枚のケースである。モータ４０ａ及び回路基板５０が２重、３重の筐体構造で覆われていないため、電気掃除機１００を軽量化することができる。
【００４７】
図１２は、図１０のＸＩＩ−ＸＩＩ線断面図である。
図１２に示すように、蓄電池３は、組電池であり、５本の単電池３ｈ（電池セル）がケース３ａ内に、上下にそれぞれ２本づつ左右に並んで配置され、中央にも１本配置されている。このように、単電池３ｈの軸方向を前後方向に向けることで、単電池３ｈの軸方向の向きを左右方向に向けた場合よりも、蓄電池３の幅を狭くできる。
【００４８】
また、ケース３ａ内には、単電池３ｈが合成樹脂製の保持部材３ｊに保持された状態で収容されている。この保持部材３ｊは、上段の単電池３ｈと下段の単電池３ｈとの間に隙間３ｋが形成されるように構成されている。
【００４９】
このような隙間３ｋを形成することで、各単電池３ｈの周囲に空気を流すことができ、各単電池３ｈを効果的に冷却することができる。
【００５０】
図１３は、電気掃除機に付属品が接続された状態の平面図である。
図１３に示すように、電気掃除機１００は、掃除機本体１に気密保持部材９０が接続された状態で、延長管３００を接続できるように構成されている。このように、掃除機本体１に気密保持部材９０を接続したままでも、延長管３００を接続する接続口１０ａの位置は変わらない。よって、掃除機本体１と延長管３００と標準吸口４００とを接続した全長Ｌを短く抑えることができる。これにより、標準吸口４００の位置が手元に近くなるので、取り回しが良好になり、使い勝手を向上できる。
【００５１】
図１３に示す電気掃除機１００では、スティック状態から、標準吸口４００が接続された延長管３００を取り外してハンディ状態にしたとしても、掃除機本体１には気密保持部材９０が取り付けられたままである。よって、吸引力が高められた状態で掃除を行うことができる。
【００５２】
なお、図１３の実施形態では、電気掃除機１００に延長管３００及び標準吸口４００を接続した場合を例に挙げて説明したが、この実施形態に限定されるものではない。例えば、接続口１０ａに標準吸口４００を直接接続して、ハンディ状態の電気掃除機１００として使用できる。これにより、気密保持部材９０によって床面との気密性が高められるので、吸引力を高めることができる。
【００５３】
このように、電気掃除機１００では、掃除機本体１に気密保持部材９０を取り付けたままで、様々な付属品（アタッチメント）を着脱することができ、掃除の使用形態を迅速に切り替えて掃除を行うことができる。また、気密保持部材９０は、掃除機本体１に取り付けたままにできるので、気密保持部材９０を取り付けたハンディ状態の電気掃除機１００において、高い吸引力を確保しながら掃除を行うことができる。
【００５４】
図１４は、電気掃除機の支持台を示す斜視図である。なお、図１４に示す支持台７０は、電気掃除機１００及びすべての付属品（アタッチメント）を取り外した状態である。図１４に示すように、支持台７０は、ベース部７１とスタンド部７２とによって構成されている。
【００５５】
ベース部７１は、標準吸口４００（図１参照）が載置される略矩形状の載置面７１ａを有している。この載置面７１ａには、標準吸口４００が前側にすべり落ちるのを係止する係止部７１ａ１が設けられている。
【００５６】
スタンド部７２は、載置面７１ａの後方に設けられたスタンド部支え部７１ｂから、鉛直上方に延出している。スタンド部支え部７１ｂの上方前部には、係合部７２ａが設けられている。
【００５７】
図１５は、電気掃除機及び支持台を示す側面図である。
図１５に示すように、電気掃除機１００は、掃除機本体１に、延長管３００と標準吸口４００を接続したままの状態で支持台７０に支持される。具体的には、延長管３００の先端部に、先端を下側とした略Ｌ字形のフック３０１が設けられている。そして、このフック３０１を支持台７０のスタンド部７２に設けられた係合部７２ａ（図１４）に係合させる。また、標準吸口４００を載置面７１ａ上の係止部７１ａ１に係止させる。これによって、掃除機本体１側を上側、標準吸口４００側を下側として、電気掃除機１００の全体を支持台７０に支持させることができる。
【００５８】
このように、電気掃除機１００をスティック状態のままで支持台７０に設置できるので、次回掃除をする場合、電気掃除機１００を直ちにスティック状態のままで使用することができる。
【００５９】
また、ベース部７１の載置面７１ａは、延長管３００よりも前方に延びて形成されている。これにより、延長管３００に標準吸口４００を接続した状態、つまり掃除機本体１に延長管３００と標準吸口４００を接続した状態（スティック状態）で、標準吸口４００を載置面７１ａで支持することができる。よって、電気掃除機１００を支持台７０に安定して支持させることができる。
【００６０】
図１６は、スティック状態の電気掃除機で床面を掃除するときの使用形態図である。
図１６は、電気掃除機１００（気密保持部材９０を装着したまま）に延長管３００及び標準吸口４００を接続してスティック状態にし、電気掃除機１００を使用者よりも前方に突き出して床面を掃除する場合である。この場合、使用者は、ハンドル部１２の第２把持部１２ａ２を把持しながら、電気掃除機１００を前後に移動させながら掃除を行うことができる。また、図示していないが、電気掃除機１００を使用者の左右の脇に位置した状態で床面を掃除する場合には、使用者は、ハンドル部１２の第１把持部１２ａ１を把持しながら、電気掃除機１００を前後に移動させることができる。このように、使用者が床面を掃除する場合には、ハンドル部１２の位置を持ち替えて掃除することができる。
【００６１】
図１７は、スティック状態の電気掃除機で高い場所を掃除するときの使用形態図である。
ところで、スティック状態にしたときに重心が先端側にある電気掃除機（特開２０１６−１３７１６５号公報参照）では、電気掃除機を床面より高い場所で掃除する場合、使用者が電気掃除機の先を上向きに持ち上げる必要があるので手首に負担が掛かり易くなる。
【００６２】
そこで、本実施形態では、図１７に示すように、電気掃除機１００の重量物である電動送風機４０（図６参照）や蓄電池３がハンドル部１２に近い位置（手元に近い位置）にあるので、電気掃除機１００の重心Ｇが、使用者の手元に近くなる。これにより、電気掃除機１００をスティック状態にして、電気掃除機１００を床面より高い場所を掃除する場合であっても掃除し易くなり、使い勝手を向上できる。図１７では、階段を掃除する場合を例に挙げて説明したが、電気掃除機１００を持ち上げてエアコンの室内機のパネルなどを掃除する場合にも有効である。
【００６３】
また、電気掃除機１００をスティック状態で使用している場合において、階段の角（隅）に残った塵埃を取り除くときに、電気掃除機１００から延長管３００及び標準吸口４００を取り外してハンディ状態にする。この場合、電気掃除機１００には気密保持部材９０が装着されたままであるので、吸引力を高めた状態で掃除を行うことができ、塵埃の吸い残しを防止できる。
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００６４】
１      掃除機本体
２      ダストケース（集塵装置）
３      蓄電池
１０ａ  接続口（吸引口）
１４    導入管
４０    電動送風機
４０ａ  モータ
５０    回路基板
５０ａ  回路基板収納空間
【図１】
2020110472.tif 000003
【図２】
2020110472.tif 000004
【図３】
2020110472.tif 000005
【図４】
2020110472.tif 000006
【図５】
2020110472.tif 000007
【図６】
2020110472.tif 000008
【図７】
2020110472.tif 000009
【図８】
2020110472.tif 000010
【図９】
2020110472.tif 000011
【図１０】
2020110472.tif 000012
【図１１】
2020110472.tif 000013
【図１２】
2020110472.tif 000014
【図１３】
2020110472.tif 000015
【図１４】
2020110472.tif 000016
【図１５】
2020110472.tif 000017
【図１６】
2020110472.tif 000018
【図１７】
2020110472.tif 000019